(57)【特許請求の範囲】
【請求項１】
床スラブ面側に設置されるクッション部材と、このクッション部材の上面側より上方に突出する如く当該クッション部材に取付けられて上部側で床材を支持する支柱とを備えた床支持具において、
上記クッション部材は、上下方向に積層された上クッション体と下クッション体とにより形成され、
上クッション体は、下部が頂点を削った円錐状に形成されるとともに円中央部分に支柱を嵌め込むための孔を備え、かつ、円錐部分の表面が階段状に形成された突出体として機能し、
下クッション体は、上部に、上クッション体の下部が嵌まり込む凹部を備え、
上クッション体の下部が下クッション体の凹部内に嵌め込まれて、上クッション体の突出体と下クッション体の凹部の側面、及び、上クッション体の下面と下クッション体の凹部の底面との間に空間が形成され、
さらに、上記下クッション体の下面には、床スラブ面方向に突出して互いに独立した複数の接地体が設けられていることを特徴とする床支持具。
【請求項２】
下クッション体は、上クッション体より一回り大きな円柱形状に形成され、上部に、上クッション体の下部が嵌まり込む凹部が形成されており、さらに、下面の中央には、球面状の凹部が形成され、さらに、十字状の凹部が形成された構成を備え、下面において、上記十字状の凹部により区切られ、さらに、凹部が設けられていない余りの周囲部分が、床スラブ面方向に突出する互いに独立した４つの接地体として機能することを特徴とする請求項１に記載の床支持具。
【請求項３】
上記クッション部材の硬度を、硬度６５°から７０°程度としたことを特徴とする請求項１又は請求項２に記載の床支持具。
【請求項４】
請求項１又は請求項２又は請求項３に記載の構成を備えたことを特徴とする床支持具用クッション部材。
【発明の詳細な説明】
【０００１】
【発明の属する技術分野】
この発明は、床支持具、特に床支持具のクッション部材の構造に関するものである。
【０００２】
【従来の技術】
従来の床支持具及び床支持具用クッション部材として、特開平１１−２９３８９７号公報に開示されているものがある。図８〜図１０は、当該公報に開示された床支持具及び床支持具用クッション部材である。図８は床支持具、図９は当該床支持具用クッション部材の正面，平面，底面図を示す。
各図に示すように、床支持具１１は、コンクリートを打設することにより得られる床スラブ１０の床スラブ面１０ａの上に設置される。床支持具１１によって台座１２が支持され、この台座１２には釘１３等を用いてパーティクルボード等の木材から成る長辺形状の基材１４が取付けられ、この基材１４の上にフローリング等の床材１５が釘１６等の手段で固定されている。
上記床支持具１１はほぼ逆台錐形のクッション部材１７と、このクッション部材１７の上面の平坦部に設置された座板１８と、この座板１８の中心に設けられた孔を介して上記クッション部材１７の上面に形成された穴１９に下端が嵌入される支柱２０から構成される。
上記クッション部材１７の下部１７ｍは円板状に形成されており、下面１７Ｒには、床スラブ面１０ａ方向に突出する複数の接地体２１，２１…が設けられている。この各接地体２１は、下部１７ｍの下面１７Ｒより下部方向に突出する柱部２１ｔの下端が半球状の丸みを有する凸部より成るもので互いに独立しており、その高さはほぼ６ｍｍ程度に設定されている。この接地体２１がスラブ面１０ａに接地するポイント，即ち接地ポイントＰは支柱２０に形成されたフランジ２２の外周に対応するポイントＰ１よりもＬだけ水平外方向に位置ずれされている。即ちクッション部材１７の上面は上記フランジ２２に対応する図示Ｓの部分で支柱２０に伝わる圧力を受ける。つまり上記フランジ２２に対応する部分Ｓに対応するクッション部材１７の上面が支柱２０の支承部となり、接地ポイントＰはこの支承部に対応するＳの部分の外側のポイントＰ１よりも水平外側に位置するように設けられる。
上記支柱２０の穴１９に嵌入される部分は、穴１９の径よりも若干大きく設定されており、この部分は穴１９に圧入状態で差込まれる。支柱２０の上記フランジ２２が設けられた部分よりも上側の外周はねじ切りされてボルト２０ａを構成し、このボルト２０ａは上記台座１２に設けられたナット２３の中に螺入して取付けられる。ボルト２０ａを回動することによりボルト２０ａのナット２３に対する上，下の位置関係を調整することができ、これにより台座１２の高さの調整が行える。尚、上記ナット２３は筒状となり、上部がカップ状に広がり、下部にフランジ２３ａを有している。このナット２３の内面はねじ切りされ、また、その下部のフランジ２３ａは内側に折返されて補強されている。このようなナット２３は予め上記台座１２に一体化されている。
上記ボルト２０ａによって支持される台座１２は、例えばパーティクルボード等の木材から構成され、これは正方形状となって床スラブ面１０ａの所定の個所に複数個整列して設置される。このような床支持具１１を取付けた状態の台座１２を床スラブ面１０ａの所定の個所に設置した後に上記基材１４を設置して釘１３等で取付けた後、この基材１４の上に床材１５を釘１６等で取付ける。尚、床材１５は複数の床材片１５ａ，１５ｂを継ぎ目部１５ｃで継ぎ合わせて構成される。即ち、床材片１５ａを釘１６を用いて基材１４に取付けた後、床材片１５ａの凸部１５ｄに噛み合うように他の床材片１５ｂを取付けて、図示しない釘でこの床材片１５ｂを固定する。
以上の構成において床材１５に振動が加わった場合、この振動は基材１４から台座１２を経てナット２３からフランジ２２に伝わり、領域Ｓに対応する支承部を介して接地体２１の接地ポイントＰからスラブ面１０ａに伝わることになる。この場合、接地ポイントＰが支承部の外側のポイントＰ１よりもＬだけ位置ずれされているので、クッション部材１７の上記支承部に伝わる圧力によってクッション部材１７は図９（ｂ）のｔ１に示すように上，下に伸縮して振動を吸収するのであるが、クッション部材１７には接地ポイントＰが水平外方向に位置ずれされていることからｔ２に示すようにクッション部材１７にはたわみが生じるので、この傾斜方向のたわみによっても振動を良好に吸収することができ、防音効果が従来に比較して向上する。
【０００３】
また、上記公報には、図９の構成より防音効果がより向上する図１０に示すような床支持具用クッション部材１７Ａが開示されている。このクッション部材１７Ａは、上，下クッション体により二重構造に構成されている。つまり、クッション部材１７Ａは、下側を向くカップ状の下クッション体１７ｂと、この下クッション体１７ｂの上部が下部開口１７ｃに嵌合して一体化された上クッション体１７ａから構成される。下クッション体１７ｂの接地体１７ｘは筒体より構成され、その下面は平坦となっており、その上面の中央に支柱２０の下端を嵌入するための穴１９ａが設けられる。上クッション体１７ａにおける下面には下部方向に突出する柱部の下端を半円状又は半球状とした凸部１７ｎが設けられ、この凸部１７ｎの下端は下クッション体１７ｂの上面に突出している。この場合においても下クッション体１７ｂの接地ポイントは領域Ｓに対応する支承部よりも水平外方向に位置ずれされているのでクッション体１７ｂ及びクッション体１７ａのたわみに基づいて振動を良好に吸収できるとともに、２個のクッション体１７ａ，１７ｂに基づいて振動を吸収することができるので防音効果をより一層向上することが可能となる。
【０００４】
【発明が解決しようとする課題】
図１０に示す二重構造の床支持具用クッション部材１７Ａを用いれば、図９に示すものより防音効果が良くなるが、図１０の床支持具用クッション部材１７Ａは、下クッション体１７ｂの接地体１７ｘが筒体なので、床スラブ面１０ａにコンクリート打設に基づくうねりがあった場合など、クッション部材１７Ａの接地安定性が悪いという課題があった。また、下クッション体１７ｂの接地体１７ｘを構成する筒体の突出長さが長く、かつ、筒体の肉厚が薄いので、床面に加わる荷重によって床の沈み込み量が大きいという課題もあった。
【０００５】
この発明は上記課題を解決するためになされたもので、防音性能が良く、かつ、床スラブ面１０ａに対する接地安定性の良い床支持具及び床支持具のクッション体を得ることを目的とする。さらに、床の沈み込み量も少なくできる床支持具及び床支持具のクッション体を得ることを目的とする。
【０００６】
【課題を解決するための手段】
本発明の床支持具は、床スラブ面側に設置されるクッション部材と、このクッション部材の上面側より上方に突出する如く当該クッション部材に取付けられて上部側で床材を支持する支柱とを備えた床支持具において、上記クッション部材は、上下方向に積層された上クッション体と下クッション体とにより形成され、上クッション体は、下部が頂点を削った円錐状に形成されるとともに円中央部分に支柱を嵌め込むための孔を備え、かつ、円錐部分の表面が階段状に形成された突出体として機能し、下クッション体は、上部に、上クッション体の下部が嵌まり込む凹部を備え、上クッション体の下部が下クッション体の凹部内に嵌め込まれて、上クッション体の突出体と下クッション体の凹部の側面、及び、上クッション体の下面と下クッション体の凹部の底面との間に空間が形成され、さらに、上記下クッション体の下面には、床スラブ面方向に突出して互いに独立した複数の接地体が設けられているものとした。
また、下クッション体は、上クッション体より一回り大きな円柱形状に形成され、上部に、上クッション体の下部が嵌まり込む凹部が形成されており、さらに、下面の中央には、球面状の凹部が形成され、さらに、十字状の凹部が形成された構成を備え、下面において、上記十字状の凹部により区切られ、さらに、凹部が設けられていない余りの周囲部分が、床スラブ面方向に突出する互いに独立した４つの接地体として機能するものとした。
また、上記クッション部材の硬度を、硬度６５°から７０°程度とした。
尚、本発明の床支持具用クッション部材は上記のような構成を備えたものとした。
【０００７】
【発明の実施の形態】
実施の形態１．
以下、図１ないし図３に基づいて実施の形態１による床支持具に用いるクッション部材を説明する。尚、図８の従来例と同一部分は同一符号を付して説明する。
図１は本実施の形態１による床支持具クッション部材１を示す図であり、上から平面図、正面図（右半分断面）、底面図である。尚、以下の各図中の一点鎖線は中心線であり、構成要素ではない。
図１中の正面図からわかるように、クッション部材１は、上クッション体２，下クッション体３が上下方向に積層状態に結合されて成る。
図２は上クッション体２を示す図で、上から平面図、正面図（右半分断面）、底面図である。
図３は下クッション体３を示す図で、上から平面図、正面図（右半分断面）、底面図である。
【０００８】
上クッション体２は、円柱状に形成され、円中央部分に図８の支柱２０を嵌め込むための孔２ａが設けられている。また、円柱の周囲には、下クッション体３に設けられた係止爪３ｔが係合される係止溝２ｂが形成されている。
【０００９】
下クッション体３は、上クッション体２より一回り大きな円柱形状のもので、上部には上クッション体２が嵌まり込む凹部４が形成されており、さらに、下面３ａには、床スラブ面１０ａ方向に突出する互いに独立した複数の接地体５が設けられている。これら接地体５は、球面状の突出部で構成されている。これら各接地体５は、下面３ａの周囲側において、９０°の間隔で４つ設けられている。尚、接地体５の径寸法（根元側の左右方向の肉厚）は１６ｍｍ以上に設定され、また、接地体５の突出長さは７ｍｍ以下に設定されている。さらに、床スラブ面１０ａと接地する接地体５の接地面５ｔは平坦にしてある。
【００１０】
上記凹部４の底面４ａには、上方に突出する突出体６が設けられている。この突出体６は、上記接地体５と同じように、底面４ａの周囲側において、９０°の間隔で４つ設けられている。下クッション体２の下面２ｃに当接する上記突出体６の上端は丸みを持たせた形状に形成されている。尚、凹部４の上縁には、上記上クッション体２の係止溝２ｂに係合し、当該上クッション体２を嵌着するための係止爪３ｔが形成されている。また、凹部４の底面４ａの中央には、支柱２０の下端が嵌め込まれる孔４ｓが形成されている。
【００１１】
図１の正面図に示すように、下クッション体３の凹部４内に上クッション体２を嵌め込み、係止溝２ｂと係止爪３ｔとにより両者が上下方向に積層状態に嵌着される。これにより、上クッション体２の下面２ｃと、下クッション体３の突出体６の丸みを持たせた上端とが当接した状態となり、上クッション体２の下面２ｃと下クッション体３の凹部４の底面４ａとの間に空間Ｓが形成される。
【００１２】
本実施の形態１によるクッション部材１の構成によれば、下クッション体３の下面３ａに、床スラブ面１０ａ方向に突出する互いに独立した複数の接地体５を備えるので、ゴム硬度（例えばＪＩＳ規格の「ＪＩＳ  Ｋ  ６３０１のゴム硬度測定方法」による硬度）が同程度のものを使用し、床支持具に用いた場合、図１０に示したクッション部材１７Ａを用いた場合と比べて、床スラブ面１０ａに対する接地安定性を良くできる床支持具が得られる。
【００１３】
また、本実施の形態１によるクッション部材１の構成によれば、図９に示したクッション部材１７を用いた場合と比べて、防音性能を良くできる。ちなみに、本実施の形態１のクッション部材１を用いた床支持具と図９の構成のクッション部材１７を用いた床支持具を使用した場合の床衝撃音測定結果を図４に示す。図４（ａ）は衝撃音発生源としてのバングマシーン（タイヤによる打撃装置）を用いて測定した重量床衝撃音測定結果を示し、図４（ｂ）は衝撃音発生源としてのタッピングマシーンを用いて測定した軽量床衝撃音測定結果を示す。数値レベル（ｄＢ）、Ｌ値は低いほど防音性能が良い。このＬ値は、低周波数帯と高周波数帯での聴感上の違いを補正するため、低周波数帯では聴感が鈍いために性能判断基準が緩くなるように、周波数帯が高くなるに従って聴感が鋭くなるために性能判断基準が厳しくなるように設定された性能判断基準であるＬ値曲線から求めた値である。即ち、同じぐらいのレベルが測定されても、性能を決める基準は、低周波数帯よりも高周波数帯の方に厳しい性能を要求した場合の性能がＬ値により判断される。図４の（）内はゴム硬度を示し、０（６７°）はゴム硬度６７°の図９の構成のクッション部材１７を備えた床支持具を使用した場合の防音性能を示し、１（６５°）、１（７０°）はゴム硬度６５°及び７０°の実施の形態１によるクッション部材１を備えた床支持具を使用した場合の防音性能を示す。
図９のクッション部材１７と本実施の形態１の構成のクッション部材１の防音性能を比較すると、本実施の形態１の構成のクッション部材１を備えた床支持具は、ゴム硬度６５°，７０°のいずれにおいても、図９のクッション部材１７（ゴム硬度６７°）を備えた床支持具よりも防音性能が良いことがわかる。
【００１４】
さらに、本実施の形態１によるクッション部材１の構成によれば、上クッション体２と下クッション体３とによる二重構造で、かつ互いに独立した複数の接地体５を備えた構成なので、図１０のクッション部材１７Ａにおける下クッション体１７ｂのような筒体で構成された接地体１７ｘを備えた構成に比べて、床の沈み込み量を少なくできる。さらに、接地体５の径寸法（根元側の左右方向の肉厚）を１６ｍｍ以上に設定し、接地体５の突出長さを７ｍｍ以下に設定したので、さらに、床の沈み込み量を少なくできる。
ちなみに、床面に２０Ｋｇの荷重をかけて、ゴム硬度６７°のゴムで形成した図１０の構成のクッション部材１７Ａを使用した床支持具を用いた場合と上記図４の１（６５°）のクッション部材１を使用し床支持具を用いた場合とで、床沈み込み量を測定したところ、クッション部材１７Ａを使用した床支持具の場合は４．１６ｍｍであったのに対し、１（６５°）のクッション部材１を使用し床支持具を使用した場合は３．７１ｍｍであった。
従って、クッション部材１の方がゴム硬度が柔らかいのにも拘わらず、床沈み込み量を少なくできる。
【００１５】
従って、本実施の形態１によるクッション部材１によれば、床支持具に用いることにより、防音性能も良く、かつ、床スラブ面に対する接地安定性を良くでき、しかも、床の沈み込み量も少なくできる床支持具が得られる。
また、突出体６を備えることにより、上クッション体２の安定性を良くできる。
また、上記突出体６において、上クッション体２の下面２ｃに接触する側を、丸みを持たせた形状としたので、上クッション体２と下クッション体３が接触する部分を少なくでき、防音性能をさらに良くできる。
【００１６】
実施の形態２．
図５〜図７に基づいて実施の形態２による床支持具に用いるクッション部材を説明する。尚、図１〜図３の実施の形態１と同様の部分は同一符号を付して説明を省略する。
図５は本実施の形態２による床支持具クッション部材１Ａを示す図であり、上から平面図、正面図（右半分断面）、底面図である。尚、以下の各図中の一点鎖線は中心線であり、構成要素ではない。
図５中の正面図からわかるように、実施の形態１と同様、クッション部材１Ａは、上クッション体２Ａ，下クッション体３Ａが上下方向に積層状態に結合されて成る。
図６は上クッション体２Ａを示す図で、上から平面図、正面図（右半分断面）、底面図である。
図７は下クッション体３Ａを示す図で、上から平面図、正面図（右半分断面）、底面図である。
【００１７】
上クッション体２Ａは、下部が、頂点を削った円錐状に形成され、円中央部分に図８の支柱２０を嵌め込むための孔２ｘが設けられている。また、円錐部分の表面は階段状に形成され突出体６Ａとして機能する。
【００１８】
下クッション体３Ａは、上クッション体２より一回り大きな円柱形状のもので、上部に、上クッション体２Ａの下部が嵌まり込む凹部４ｘが形成されており、さらに、下面の中央には、球面状の凹部７が形成され、さらに、十字状の凹部８が形成されている。従って、十字状の凹部８により区切られ、さらに、凹部７が設けられていない余りの周囲部分が、接地体５Ａとして機能する。即ち、床スラブ面１０ａ方向に突出する互いに独立した複数（４つ）の接地体５Ａが形成されている。
【００１９】
従って、図５の正面図に示すように、下クッション体３Ａの凹部４ｘ内に上クッション体２Ａを嵌め込み、係止溝２ｂと係止爪３ｔとにより両者が上下方向に積層状態に嵌着される。これにより、上クッション体２Ａの突出体６と下クッション体３Ａの凹部４ｘの側面４ｙ、及び上クッション体２Ａの下面２ｃと下クッション体３Ａの凹部４ｘの底面４ａとの間に空間Ｓが形成される。
【００２０】
本実施の形態２のクッション部材１Ａによれば、防音性能が悪い他は、実施の形態１と同様の効果が得られる。即ち、図１０に示したクッション部材１７Ａを用いた場合と比べて、床スラブ面１０ａに対する接地安定性を良くできる床支持具が得られる。また、図１０のクッション部材１７Ａにおける下クッション体１７ｂのような筒体で構成された接地体１７ｘを備えた構成に比べて、床の沈み込み量を少なくできる。尚、ゴム硬度７０°の実施の形態２によるクッション部材１Ａを備えた床支持具を使用した場合の防音性能（図４の２（７０°）に示す）については、図９のもの（０（６７°））より若干性能が悪いが、実用としては十分に防音性能の良いものである。
【００２１】
尚、上記各実施の形態では、突出体６、６Ａを上クッション体２、２Ａに設けたが、下クッション体３、３Ａに設けても良い。
また、突出体の６、６Ａの代わりに別部材（ゴム玉等）を上，下クッション体間に介在させても良い。
また、防音性能は多少落ちるかもしれないが、突出体６、６Ａの上端は、必ずしも丸みを持たせた形状とする必要はない。
【００２２】
【発明の効果】
本願発明によれば、クッション部材は、上下方向に積層された上クッション体と下クッション体とにより形成され、上クッション体は、下部が頂点を削った円錐状に形成されるとともに円中央部分に支柱を嵌め込むための孔を備え、かつ、円錐部分の表面が階段状に形成された突出体として機能し、下クッション体は、上部に、上クッション体の下部が嵌まり込む凹部を備え、上クッション体の下部が下クッション体の凹部内に嵌め込まれて、上クッション体の突出体と下クッション体の凹部の側面、及び、上クッション体の下面と下クッション体の凹部の底面との間に空間が形成され、さらに、上記下クッション体の下面には、床スラブ面方向に突出して互いに独立した複数の接地体を設けたので、防音性能が良く、スラブ面に対する接地安定性も良く、しかも床の沈み込み量も少なくできる床支持具及び床支持具のクッション体を得ることができる。
また、下クッション体は、上クッション体より一回り大きな円柱形状に形成され、上部に、上クッション体の下部が嵌まり込む凹部が形成されており、さらに、下面の中央には、球面状の凹部が形成され、さらに、十字状の凹部が形成された構成を備え、下面において、上記十字状の凹部により区切られ、さらに、凹部が設けられていない余りの周囲部分が、床スラブ面方向に突出する互いに独立した４つの接地体として機能するので、上記各効果をさらに高めることができる。
また、上記クッション部材の硬度を、硬度６５°から７０°程度とすることにより、上記各効果をさらに高めることができる。
【図面の簡単な説明】
【図１】  この発明の実施の形態１によるクッション部材を示す平面図，正面図，底面図である。
【図２】  実施の形態１によるクッション部材の上クッション体を示す平面図，正面図，底面図である。
【図３】  実施の形態１によるクッション部材の下クッション体を示す平面図，正面図，底面図である。
【図４】  実施の形態１．２．によるクッション部材を用いた床支持具の防音性能測定結果を示す図表である。
【図５】  この発明の実施の形態２によるクッション部材を示す平面図，正面図，底面図である。
【図６】  実施の形態２によるクッション部材の上クッション体を示す平面図，正面図，底面図である。
【図７】  実施の形態２によるクッション部材の下クッション体を示す平面図，正面図，底面図である。
【図８】  従来の床支持具を示す図である。。
【図９】  従来の床支持具に用いるクッション部材を示す図である。
【図１０】  従来の床支持具に用いるクッション部材を示す図である。
【符号の説明】
１，１Ａ  クッション部材、２，２Ａ  上クッション体、３，３Ａ  下クッション体、５，５Ａ  接地体、６，６Ａ  突出体、Ｓ  空間。
【図１】
0004342699.tif 000002
【図２】
0004342699.tif 000003
【図３】
0004342699.tif 000004
【図４】
0004342699.tif 000005
【図５】
0004342699.tif 000006
【図６】
0004342699.tif 000007
【図７】
0004342699.tif 000008
【図８】
0004342699.tif 000009
【図９】
0004342699.tif 000010
【図１０】
0004342699.tif 000011